(57)【特許請求の範囲】
【請求項１】
筒状の保護管と、該保護管内に挿通されかつ該保護管の先端から延長し、延長した先端部がループ状に折り曲げられた測定電極線と、前記保護管の先端部と前記測定電極線のループ状部の間に配設され、前記測定電極線が挿通され、前記保護管の先端部と前記ループ状部の間で移動可能な筒状のスライド部材とから成り、該スライド部材を前記保護管側にスライドして前記ループ状部のループを大きくし、該スライド部材を前記ループ状部側にスライドして前記ループ状部のループを小さくするようにしたことを特徴とする歯科用ファイルホルダー。
【請求項２】
前記測定電極線は、弾性を有する導電線が折り返されて前記ループ状部を形成していることを特徴とする請求項１に記載の歯科用ファイルホルダー。
【請求項３】
前記保護管及びスライド部材は絶縁性の材質で形成されていることを特徴とする請求項１又は２に記載の歯科用ファイルホルダー。
【発明の詳細な説明】
【技術分野】
【０００１】
本発明は、歯科用ファイルホルダー、より詳細には、根管拡大或いは根管長測定において、根管拡大用のファイル（又はリーマ）を保持する歯科用ファイルホルダーに係り、特に、小型、軽量化し、口腔内視界の妨げにならず、更には、測定位置ずれが生じないようにした歯科用根管拡大、根管測定用の歯科用ファイルホルダーに関する。
【背景技術】
【０００２】
図２は、本発明が適用される歯科用根管長測定器の一例を説明するための要部構成図で、図中、１はファイル（根管長測定針）、２は根管長を測定しようとする（或いは、根管を拡大しようとする）歯牙、３は根管、４はストッパ、５は口唇、６は測定電極、７は対向電極、８は測定電極６に連通する測定電極用リード線、９は口唇５に引っかけられた対向電極７に連通する対向電極用リード線、１０はファイル１を固定するためのファイルホルダー、２０はこれらリード線８，９が接続された根管長測定器、２１は根尖孔位置検出表示部で、周知のように、測定針（ファイル又はリーマ）１に測定電極６を接触させた状態で、測定針１を根管３内に挿入していった時の根尖孔位置検出表示部２１の指針位置より測定針１の先端が根尖孔位置に達したことを知り、その状態でストッパ４を歯牙２の歯冠に当たる位置まで動かし、その状態で口腔外に取り出し、物差しで根管長測定針１の先端からストッパまでの長さを測定するものである。表示部２１は、例えば、ＬＥＤ，液晶等で構成され、ＡＰＥＸ（根尖孔位置），Ｗ．Ｌ（作業長：根管長）が表示され、根管長測定針１の先端が根尖孔位置に達した時に、アラーム等が鳴るようになっている。（なお、根尖孔位置を電気的に検出する方法としては、特許文献１をはじめ、多数の公報が公開されているので、その詳細については省略する）。
【０００３】
図３は、図２に示したファイルホルダー１０の詳細を説明するための断面図で、１１は測定電極線（図２に示した測定電極６に対応）で、この測定電極線１１線は、図示のように、絶縁性の保護管１２内に挿通され、その端部は、機械的には、押圧部材１３に固定され、電気的にはリード線８に接続され、該リード線８を通して図２に示した根管長測定器２０に導かれている。一方、保護管１２の端部１２ａは大径に形成され、この大径部１２ａ内にスプリング１５が挿入されている。従って、押圧部材１３を矢印Ａ方向に押すと、スプリング１５が圧縮され、測定電極線１１が矢印Ａ’方向に移動し、従って、保護管１２の先端部１２ｂと測定電極線１１の先端１１’との間に測定針２１を挿入することができ、押圧部材１３の押圧力を解除すると、測定電極線１１は、スプリング１５の復元力によって矢印Ｂ’方向に移動し、従って、図３に示したように、保護管１２の先端部１２ｂと測定電極線１１の先端１１’との間に測定針２１を狭持することができる。
【０００４】
図３に示したファイルホルダーによると、根管拡大作業にあたり、押圧部材１３を矢印Ａ方向にスプリング１５の伸張力に抗して押圧し、測定電極線１１の先端部にファイル１を挿入し、次いで、押圧部材１３の押圧力を解除する。押圧部材１３に対する押圧力を解除することにより、該押圧部材１３がスプリング１５の伸張力によりＢ方向に戻され、これにより、ファイル１は測定電極線１１の曲げ先端部１１’と樹脂製の絶縁性保護管１２の先端面１２ａとの間に挟持される。この状態で、ファイル１を歯根内に挿入し、又は、ファイル１を歯根内に挿入した状態で前述の作業をして、ファイル１を根管内に挿入した状態で、該ファイル１をファイルホルダー１０にて保持し、その状態で、ファイル１を回動して歯根を拡大し、更には、該ファイル１を該根管内の根尖位置まで押し下げて、根管長を測定する。
【０００５】
図３に示したファイルホルダー１０によると、ファイル１をファイルホルダー１０に保持するために、保護管１２内にスプリング１５を要し、このスプリング１５を収容するために、保護管１２を大径に構成しなければならず、また、このスプリング１５を押圧操作するための押圧部材１３を必要とし、そのため、ファイルホルダー１０が大型、重量化し、更に、保護管１２の先端部１２ｂは、ファイル（又はリーマ）１を測定電極線１１の先端折曲げ部１１’との間でしっかり保持するために大径に形成されている。
【０００６】
上述のように、図３に示した従来のファイルホルダーにおいては、重量が重く、その重みのため、根管内に挿入したファイル（又はリーマ）１が測定位置よりずれてしまう。また、ファイルホルダー１０が大型化し、これがスペースの限られた口腔内での視界の妨げになる。更には、ファイル１をファイルホルダー１０にて保持した時に、ファイル１が保護管１２の先端部１２ｂの表面に接触するため、その状態で、ファイル（又はリーマ）１を回転させて根管拡大を行なうと、保護管１２の樹脂が削れ、削れることにより、保持力低下や接触不良が生じ、更には、切削粉がファイルホルダー１０内に侵入し、また、先端面が削られた保護管は、見た目にも良くない等の問題があった。
【先行技術文献】
【特許文献】
【０００７】
【特許文献１】特開平１０−１５５８１８号公報
【発明の概要】
【発明が解決しようとする課題】
【０００８】
本発明は、上述のごとき従来技術の歯科用ファイルホルダーの問題点を解決するためになされたもので、特に、歯科用ファイルホルダーの小型化、軽量化を図るとともに、根管拡大作業時に、ファイルホルダーの樹脂部を切削するおそれのない歯科用ファイルホルダーを提案することを目的としてなされたものである。
【課題を解決するための手段】
【０００９】
上記課題を解決するために、本発明における請求項１の発明は、筒状の保護管と、該保護管内に挿通されかつ該保護管の先端から延長し、延長した先端部がループ状に折り曲げられた測定電極線と、前記保護管の先端部と前記測定電極線のループ状部の間に配設され、前記測定電極線が挿通され、前記保護管の先端部と前記ループ状部の間で移動可能な筒状のスライド部材とから成り、該スライド部材を前記保護管側にスライドして前記ループ状部のループを大きくし、該スライド部材を前記ループ状部側にスライドして前記ループ状部のループを小さくするようにしたことを特徴としたものである。
【００１０】
請求項２の発明は、請求項１の発明において、前記測定電極線は、弾性を有する導電線が折り返されて前記ループ状部を形成していることを特徴としたものである。
【００１１】
請求項３の発明は、請求項１又は２の発明において、前記保護管及びスライド部材は絶縁性の材質で形成されていることを特徴としたものである。
【発明の効果】
【００１２】
本発明によると、歯科用ファイルホルダーを小型、軽量化することができ、更には、ファイル（又はリーマによる根管拡大作業時、ファイルホルダーの樹脂部を切削することもなく、従来技術における歯科用ファイルホルダーの問題点を解決することができる。
【図面の簡単な説明】
【００１３】
【図１】本発明による歯科用ファイルホルダーの一実施例を説明するための要部断面構成図である。
【図２】本発明が適用される歯科用根管長測定器の一例を説明するための要部構成図である。
【図３】図２に示したファイルホルダー１０の詳細を説明するための断面図である。
【発明を実施するための形態】
【００１４】
図１は、本発明による歯科用ファイルホルダーの一実施例を説明するための要部断面構成図で、図１（Ａ）は、ファイル（又はリーマ）１を保持する前の通常状態時における要部平断面図、図１（Ｂ）は、ファイル（又はリーマ）１を保持した状態における要部平断面図で、図中、１０はファイルホルダー、１１は測定電極線、１２は筒状の保護管で、該保護管１２内には、前記測定電極線１１が挿通されている。この測定電極線１１は、保護管１２の先端より前方に延出し、先端部においてループ状に折り返されて、先端部にループ状部１１1を形成している。
【００１５】
保護管１２から延出した測定電極線１１は、該保護管１２の先端部１２1とループ状部１１1との間で、筒状のスライド部材１６内に挿通されており、このスライド部材１６は、前記保護管１２の先端部１２1と前記ループ状部１１1との間で矢印Ａ，Ｂ方向にスライド可能になっている。
【００１６】
図１（Ａ）は、前記ループ状部内にファイルが挿通される前の状態を示し、この状態は、スライド部材１６を矢印Ｂ方向にスライドさせることによって形成される。この状態で、ループ状部にファイル（又はリーマ）１を挿通し、スライド部材１６を矢印Ａ方向に移動させると、ループ状部１１1のループが小さくなり、該ループ状部内にファイル（又はリーマ）１が保持される。このようにして、ファイルホルダー１０にファイル１を保持した状態で、ファイル（又はリーマ）を根管内に挿入し、次いで、該ファイル（又はリーマ）１を回転して根管の拡大を行い、更には、ファイル（又はリーマ）１を根管内に押し下げて根尖位置を検出し、根管長を測定する。
【００１７】
上述のように、本発明によると、従来技術において必要としたスプリングを無くすことができ、従って、そのためのスペースを設ける必要もなく、保護管の径を大きくする必要もない、更には、スライド部材の径を保護管の径以上に大きくする必要もないので、診療時、口腔内の視界を妨げられることもない。なお、測定電極線は、本発明においては、先端部において、ループ状部１１1を形成し、このループ状部１１1がスライド部材１６をＡ方向に押した時に、押し縮められ、或いは、スライド部材１６をＢ方向に引いた時に、もとのループ状に戻されるために、弾性の導電性線で構成される。更には、前記スライド部材１６は絶縁性の材質の部材で形成されるが、ファイル（又はリーマ）１が、このスライド部材に触れるようなことはないので、ファイル（又はリーマ）１の回転によって該スライド部材が削られるようなことはない。
【符号の説明】
【００１８】
１…ファイル、２…歯牙、３…根管、４…ストッパ、５…口唇、６…測定電極、７…対向電極、８，９…リード線、１０…ファイルホルダー、１１…測定電極線、１１1…ループ状部、１２…保護管、１３…押圧部材、１５…スプリング、１６…スライド部材、２１…表示部。
【図１】
0005587269.tif 000002
【図２】
0005587269.tif 000003
【図３】
0005587269.tif 000004